(57)【要約】【課題】容易にノズル部を本体に位置固定できノズル部から対象物へ向けて送風する。【解決手段】本発明の布団乾燥機（１）は、筐体（２）と、ホース（７）と、ノズル（８）と、ノズル（８）が筐体（２）の外部に配置されるように、ノズル（８）を筐体（２）に対して突出可能に支持する蓋（３）と、水平面に対して傾斜した状態で蓋（３）を保持し、ノズル（８）の傾斜状態を維持する傾斜維持機構（９）と、を備えている。【選択図】図５
2020203064.tif 000002
【特許請求の範囲】
【請求項１】
筐体と、
前記筐体から引き出し可能に設けられ、風路を形成するホースと、
前記ホースの開口端部に接続されるノズルと、
前記ノズルが前記筐体の外部に配置されるように、前記ノズルを前記筐体に対して突出可能に支持する支持部材と、
水平面に対して傾斜した状態で前記支持部材を保持し、前記ノズルの傾斜状態を維持する傾斜維持機構と、を備えていることを特徴とする送風機。
【請求項２】
前記支持部材は、前記筐体の開口部を開閉する蓋であることを特徴とする請求項１に記載の送風機。
【請求項３】
前記傾斜維持機構は、
前記水平面に対して傾斜した状態に前記蓋を位置決めする傾斜位置決め部と、
前記傾斜位置決め部により位置決めされた前記蓋を係止する係止部と、を備えていることを特徴とする請求項２に記載の送風機。
【請求項４】
前記傾斜位置決め部は、
前記蓋と当接する当接面を有し前記水平面に対して傾斜した傾斜板部と、
前記傾斜板部に形成され、前記蓋と嵌合する嵌合部と、を有することを特徴とする請求項３に記載の送風機。
【請求項５】
前記傾斜維持機構は、前記蓋の側面を前記筐体における側壁の内面に係止する係止構造をさらに備えていることを特徴とする請求項２から４のいずれか１項に記載の送風機。
【請求項６】
前記係止構造は、前記蓋の側面に設けられた突起と、前記側壁の内面に設けられた係止凸部とを有することを特徴とする請求項５に記載の送風機。
【請求項７】
前記傾斜維持機構は、
前記蓋が連結され、前記筐体に対して回動する回動部と、
前記回動部に設けられ、当該回動部が回動する円弧状軌跡に沿って形成された円弧状通路と、
前記筐体における前記円弧状通路と対向する位置に固定された凸部と、を備え、
前記凸部は、前記回動部の回動により、前記円弧状通路内を移動するように構成されており、
前記円弧状通路には、前記凸部に当接し、前記回動部の回動を係止する当接部が設けられていることを特徴とする請求項２に記載の送風機。
【請求項８】
前記蓋と前記回動部とを分離する分離機構を備え、
前記分離機構は、
前記回動部に設けられた第１の連結部と、
前記蓋に設けられ、前記第１の連結部と着脱可能に連結する第２の連結部と、を備え、
前記第２の連結部は、前記第１の連結部に対して、前記蓋が延在する方向にスライドすることを特徴とする請求項７に記載の送風機。
【請求項９】
前記ノズルは、前記蓋に着脱可能に保持されることを特徴とする請求項２〜８の何れか１項に記載の送風機。
【発明の詳細な説明】
【技術分野】
【０００１】
本発明は、対象物に対して送風する送風機に関する。
【背景技術】
【０００２】
布団乾燥機などの送風機は、対象物へ空気を吹き付けるためのノズルと、当該ノズルへ空気を導くための屈曲自在なホースとを備えている。送風機を使用しないときには、ホースを必要としないので、ホースをコンパクトにまとめることが好ましい。また、布団乾燥機のように特定のシーズンにしか使用されない送風機は、使用されない期間に押し入れなどの収納スペースに収納されることが多い。
【０００３】
特許文献１には、ノズル部とホースとを収納する収納部が本体ケース内に設けられ、収納部にノズル部およびホースを収納する場合に、ノズル部が本体ケースの一部となるふとん乾燥機が開示されている。
【０００４】
また、特許文献２には、ノズル部とホースとを収納する収納部が本体ケース内に設けられ、収納部にノズル部およびホースを収納する場合に、ホースの一部がノズル内に収納されるふとん乾燥機が開示されている。
【０００５】
また、特許文献３には、筺体から外部へ伸びたホースがＵ字状に曲げられた状態で、ホースの先端部が筐体に接続したふとん乾燥機が開示されている。
【先行技術文献】
【特許文献】
【０００６】
【特許文献１】特開２０１６−１８２３２２号公報（２０１６年１０月２０日公開）
【特許文献２】特開２０１６−１８２３２３号公報（２０１６年１０月２０日公開）
【特許文献３】特許第５７９２９０９号公報（２０１５年１０月１４日発行）
【発明の概要】
【発明が解決しようとする課題】
【０００７】
しかしながら、特許文献１〜３に開示されたふとん乾燥機では、ふとん乾燥以外の他の用途、例えば衣類乾燥にしようしたとき、利便性が悪いという問題がある。衣類乾燥に使用した場合、特許文献１〜３に開示されたふとん乾燥機では、ホースが屈曲自在であり、かつ、ノズル部を本体ケースに位置固定する部材がないため、常時ノズル部を衣類へ向けて送風することが困難である。
【０００８】
本発明の一態様は、容易にノズル部を本体に位置固定でき、ノズル部から対象物へ向けて送風することが可能な送風機を実現することを目的とする。
【課題を解決するための手段】
【０００９】
上記の課題を解決するために、本発明の一態様に係る送風機は、筐体と、前記筐体から引き出し可能に設けられ、風路を形成するホースと、前記ホースの開口端部に接続されるノズルと、前記ノズルが前記筐体の外部に配置されるように、前記ノズルを前記筐体に対して突出可能に支持する支持部材と、水平面に対して傾斜した状態で前記支持部材を保持し、前記ノズルの傾斜状態を維持する傾斜維持機構と、を備えていることを特徴としている。
【発明の効果】
【００１０】
本発明の一態様によれば、容易にノズル部を本体に位置固定でき、ノズル部から対象物へ向けて送風することができる。
【図面の簡単な説明】
【００１１】
【図１】本発明の実施形態１〜３に係る布団乾燥機の外観構成を示す斜視図である。
【図２】本発明の実施形態１〜３に係る布団乾燥機の外観構成を示す上面図である。
【図３】本発明の実施形態１に係る布団乾燥機の蓋を閉じた状態の内部構造を示す縦断面図である。
【図４】本発明の実施形態１に係る布団乾燥機の蓋を開いた状態を示す上面図である。
【図５】本発明の実施形態１に係る布団乾燥機の蓋を開いて筐体に対して固定した状態の内部構造を示す縦断面図である。
【図６】本発明の実施形態１に係る布団乾燥機の蓋を閉じた状態の内部構造を示す縦断面図であり、ホースが無い状態を示す。
【図７】本発明の実施形態１に係る布団乾燥機の蓋を開いて筐体に対して固定した状態の内部構造を示す縦断面図であり、ホースが無い状態を示す。
【図８】本発明の実施形態２に係る布団乾燥機の蓋を閉じた状態の内部構造を示す縦断面図である。
【図９】本発明の実施形態２に係る布団乾燥機の蓋を開いた状態を示す上面図である。
【図１０】本発明の実施形態２に係る布団乾燥機に備えられた傾斜維持機構の構成を示す拡大側面図である。
【図１１】蓋を開いて筐体に対して固定した状態での、本発明の実施形態２に係る布団乾燥機の蓋近傍部分の構造を拡大した縦断面図である。
【図１２】蓋を筐体から分離した状態での、本発明の実施形態２に係る布団乾燥機の蓋近傍の構造を拡大した縦断面図である。
【図１３】本発明の実施形態３に係る布団乾燥機の正面側の斜め上方から見た斜視図である。
【図１４】本発明の実施形態３に係る布団乾燥機の背面側の斜め上方から見た斜視図である。
【図１５】本発明の実施形態３に係る布団乾燥機の蓋を除いた状態の内部構造を示す縦断面図である。
【図１６】本発明の実施形態３に係る布団乾燥機における第１係止構造を示す横断面図である。
【図１７】本発明の実施形態３に係る布団乾燥機における第２係止構造を示す横断面図である。
【図１８】本発明の実施形態３に係る布団乾燥機の蓋を開いて筐体に対して固定した状態の内部構造を示す縦断面図である。
【発明を実施するための形態】
【００１２】
〔実施形態１〕
以下、本発明の一実施形態について、図１〜図７に基づいて説明すれば、以下の通りである。
【００１３】
図１は、実施形態１〜３に係る布団乾燥機１、１Ａ、１Ｂの外観構成を示す斜視図である。図２は、本発明の実施形態１〜３に係る布団乾燥機の外観構成を示す上面図である。図３は、布団乾燥機１の蓋３を閉じた状態の内部構造を示す縦断面図である。図４は、布団乾燥機１の蓋３を開いた状態を示す上面図である。図５は、布団乾燥機１の蓋３を開いて筐体２に対して固定した状態の内部構造を示す縦断面図である。図６は、布団乾燥機１の蓋３を閉じた状態の内部構造を示す縦断面図であり、ホース７が無い状態を示す。図７は、布団乾燥機１の蓋３を開いて筐体２に対して固定した状態の内部構造を示す縦断面図であり、ホース７が無い状態を示す。
【００１４】
図１および図２に示すように、布団乾燥機１（送風機）は、筐体２と、蓋３（支持部材）とで外観構造を形成している。筐体２は、箱状に形成されており、図５に示すように、上端に開口部２１が形成されている。蓋３は、開口部２１を開閉するように設けられている。
【００１５】
また、図３〜図５に示されるように、布団乾燥機１は、送風ファン４と、ヒータ５と、送風ダクト６と、ホース７と、ノズル８と、傾斜維持機構９と、を備えている。布団乾燥機１は、図１および図５に示されるような運転が行われない収納状態では、ホース７およびノズル８が筐体２内に収納されている。一方、運転状態では、ホース７が伸長して、ノズル８が筐体２外部へ引き出されるように構成されている。
【００１６】
送風ファン４は、筐体２内に配置されており、筐体２の側面に設けられた空気の吸込口（図示せず）から空気を吸い込んで排出することにより、空気の流れを発生する。ヒータ５は、送風ファン４から送られてきた空気を温めるために、送風ファン４の空気の吹き出し口に配置されている。布団乾燥機１は、運転状態では、送風ファン４およびヒータ５が駆動源となって、対象物に対して温風を吹き付ける構成となっている。
【００１７】
送風ダクト６は、ヒータ５を経た空気を上方に導くように、ヒータ５から上方に向く風路を形成している。また、ホース７は、屈曲自在であり、円筒形状に形成されている。ホース７は、送風ダクト６を通過する空気をノズル８へ導く風路を形成する。
【００１８】
ノズル８は、ホース７内を送出される空気を吹き出す部材である。ノズル８の空気導入口は、ホース７の開口端部に接続可能な形状に形成されている。また、ノズル８は、空気の吹き出し口が幅の広い扁平状に形成されている。ノズル８は、このような構造により、吹き出す空気の流速を速めるとともに、空気を扇状の広い範囲に吹き出すことができる。
【００１９】
ここで、本実施形態に係る布団乾燥機１では、蓋３は、ノズル８を保持する部材となっている。この蓋３により、ノズル８は、筐体２の外部に配置されるように、筐体２に対して突出可能に支持される。また、傾斜維持機構９は、筐体２の水平面に対して傾斜した状態で蓋３を保持し、ノズル８の傾斜状態を維持する。このように、本実施形態に係る布団乾燥機１によれば、ノズル８を保持する蓋３は、傾斜維持機構９によって、筐体２に対して所定角度で傾斜した状態で筐体２に支持される。
【００２０】
図５および図６に示されるように、傾斜維持機構９は、傾斜位置決め部９１と、係止部９２と、を備えている。傾斜位置決め部９１は、筐体２の水平面に対して傾斜した状態に蓋３を位置決めする。また、係止部９２は、傾斜位置決め部９１により位置決めされた蓋３を係止する。
【００２１】
傾斜位置決め部９１は、筐体２の内壁に対して突出した板状であり、水平方向に対して傾斜するように筐体２に設けられている。傾斜位置決め部９１は、傾斜板部９１ａおよび嵌合部９１ｂを有する。傾斜板部９１ａは、蓋３の後端下部３１と当接する当接面９１ｃを有し、水平面に対して所定の角度θで傾斜している。嵌合部９１ｂは、蓋３の後端下部３１の形状に沿って折れ曲がった板状に形成されている。蓋３の後端下部３１が当接面９１ｃに当接して配置されたとき、嵌合部９１ｂは、蓋３の後端下部３１と嵌合する。このように、傾斜位置決め部９１が傾斜板部９１ａおよび嵌合部９１ｂを有することにより、蓋３は、水平面に対して所定の角度θに傾斜した位置に位置決めされる。
【００２２】
係止部９２は、蓋３の後端上部３２に対して上側から当接するように構成されている。蓋３の下部は、傾斜位置決め部９１により後端下部３１のみが位置決めされ、前端下部は支持されていない。このため、傾斜位置決め部９１により位置決めされた蓋３は、前方へ倒れるおそれがある。係止部９２が蓋３の後端上部３２に対して上側から当接することにより、蓋３は係止され、前方へ倒れるのが防止される。
【００２３】
このように、傾斜位置決め部９１および係止部９２を備えた傾斜維持機構９により、蓋３は、筐体２の水平面に対して所定の角度θで支持される。その結果、蓋３に支持されるノズル８は、空気の吹き出し口が所定の角度θで傾斜した状態で、筐体２に位置固定される。それゆえ、例えば、ノズル８を常時衣類へ向けて送風することが容易となる。
【００２４】
次に、布団乾燥機１の運転状態、収納状態、および衣類乾燥形態について説明する。
【００２５】
布団乾燥機１の運転状態では、蓋３が筐体２から完全に分離され、ホース７が送風ダクト６内から引き出される。また、ノズル８は、蓋３に保持されている。そして、ノズル８の導入口と、ホース７の開口端部とが接続される。
【００２６】
これにより、送風ファン４からの空気が送風ダクト６、ホース７、およびノズル８を介して吹き出される。また、使用者が蓋３をノズル８とともに布団の所定の位置に配置することにより、布団乾燥することができる。また、布団乾燥機１を使用しない収納状態では、ホース７が筐体２内に収納されるとともに、蓋３が閉じられている。
【００２７】
一方、布団乾燥機１を衣類乾燥に使用する衣類乾燥形態では、図５に示されるように、後端下部３１が傾斜位置決め部９１に嵌合するとともに、係止部９２が後端上部３２の上側から当接するように、蓋３が筐体２に配置される。これにより、蓋３は、筐体２の水平面に対して所定の角度θで傾斜して位置固定される。そして、この状態で布団乾燥機１を運転すれば、送風ファン４からの空気がノズル８の空気吹き出し口から衣類へ送風される。
【００２８】
本実施形態に係る布団乾燥機１では、ノズル８は、蓋３に着脱可能に保持されることが好ましい。これにより、使用者は、複数種類のノズル８を蓋３に装着し、ホース７の開口端部に接続することができる。このため、布団乾燥機１の使用範囲が広がる。例えば、図１〜５に示された形状のノズル８に代えて、二股形状のノズル８を装着することができる。この場合、二股形状のノズル８を用いて、靴、スリッパ等の履物を乾燥することが可能となる。
【００２９】
また、上述したノズル８が筐体２の水平面に対して傾斜した形態（衣類乾燥形態）の布団乾燥機１は、衣類乾燥用途に限らず、様々な用途で使用可能である。例えば、この形態の布団乾燥機１は、室内の空気を清浄する空気清浄用途で使用することが可能であり、さらには、ヒーターまたは扇風機の代替としても使用可能である。
【００３０】
また、蓋３は、ノズル８が筐体２の外部に配置されるように、筐体２に対して突出可能に支持される支持部材を兼ねている。これにより、布団乾燥機１を構成する部品を削減することができる。
【００３１】
また、蓋３は、運転状態では、ノズル８を支持する機能も果たす。これにより、運転状態での風路の傾きや倒れを防ぐことができる。
【００３２】
なお、本実施形態では、送風機が布団乾燥機１である例について説明した。ただし、本発明は、布団乾燥機１に限定されることはなく、ホースを用いて空気の流れを生じさせる機器に適用が可能である。これは、後述する実施形態２および３についても同様である。
【００３３】
〔実施形態２〕
本発明の他の実施形態について、図８〜図１２に基づいて説明すれば、以下の通りである。なお、説明の便宜上、上記実施形態１にて説明した部材と同じ機能を有する部材については、同じ符号を付記し、その説明を繰り返さない。
【００３４】
図８は、本実施形態に係る布団乾燥機１Ａの蓋３を閉じた状態の内部構造を示す縦断面図である。図９は、布団乾燥機１Ａの蓋３を開いた状態を示す上面図である。図１０は、本実施形態に係る布団乾燥機１Ａに備えられた傾斜維持機構９Ａの構成を示す拡大側面図である。図１１は、蓋３を開いて筐体２に対して固定した状態での布団乾燥機１Ａの蓋３近傍部分の構造を拡大した縦断面図である。図１２は、蓋３を筐体２から分離した状態での布団乾燥機１Ａの蓋３近傍の構造を拡大した縦断面図である。
【００３５】
図８〜図１２に示されるように、本実施形態に係る布団乾燥機１Ａは、傾斜維持機構９Ａの構造が上記実施形態１と異なる。傾斜維持機構９Ａは、回動軸９３と、回動部９４と、凸部９５と、を備えている。蓋３は、回動部９４に連結されている。回動部９４は、回動軸９３周りに、筐体２に対して回動するように構成されている。また、回動部９４には、円弧状通路９４ａが形成されている。この円弧状通路９４ａが構成する円弧は、回動部９４が回動する円弧状軌跡に沿って形成されている。換言すれば、円弧状通路９４ａは、回動軸９３を軸とする円弧を構成するように、回動部９４に形成されている。凸部９５は、筐体２の内壁における円弧状通路９４ａと対向する位置に固定されている。
【００３６】
回動部９４が回動軸９３周りに回動するのに伴い、円弧状通路９４ａが回動軸９３周りに回動する。凸部９５は、このような回動部９４の回動により、円弧状通路９４ａ内を移動するように構成されている。より具体的には、回動部９４の回動により、凸部９５は、円弧状通路９４ａ内の前方の端部と後方の端部との間を摺動して往復するように構成されている。円弧状通路９４ａの前方の端部には、当該前方の端部にて凸部９５と嵌合する前方嵌合部９４ｂが設けられている。また、円弧状通路９４ａの後方の端部には、当該公報の端部にて凸部９５と嵌合する後方嵌合部９４ｄが設けられている。そして、蓋３を閉じた状態では、凸部９５は、円弧状通路９４ａの前方嵌合部９４ｂにて嵌合係止されている。そして、この状態から、凸部９５は、回動部９４の回動により、円弧状通路９４ａの前方嵌合部９４ｂと後方嵌合部９４ｄとの間を往復する。前方嵌合部９４ｂと回動部９４とを結ぶ直線と後方嵌合部９４ｄと回動軸９３とを結ぶ直線とのなす角度を角度γとすると、回動部９４に連結された蓋３の回動範囲は、水平方向から角度γまでの範囲である。
【００３７】
図１０に示されるように、円弧状通路９４ａには、凸部９５に当接し、回動部９４の回動を係止する当接部９４ｃが設けられている。当接部９４ｃは、円弧状通路９４ａにおける前方嵌合部９４ｂと後方嵌合部９４ｄとの間に設けられている。回動部９４の回動により、凸部９５は、円弧状通路９４ａ内を移動し、当接部９４ｃに当接する。そして、当接部９４ｃにて、凸部９５が嵌合係止される。
【００３８】
その結果、図１１に示されるように、回動部９４に連結した蓋３は、筐体２の水平方向に対して所定の角度θで傾斜した状態で、筐体２に位置固定される。それゆえ、ノズル８を常時衣類へ向けて送風することが容易となる。
【００３９】
次に、布団乾燥機１Ａの衣類乾燥形態について説明する。
【００４０】
布団乾燥機１Ａを衣類乾燥に使用する衣類乾燥形態では、図１１に示されるように、蓋３を筐体２に対して開くように回動させる。このとき、蓋３に連結された回動部９４は、回動軸９３周りに回動する。そして、この回動に伴い、筐体２に固定されている凸部９５が円弧状通路９４ａ内を移動する。そして、当接部９４ｃにて当接し、凸部９５の移動が係止される。これにより、蓋３は、筐体２に対して所定の角度θで傾斜して位置固定される。そして、この状態で布団乾燥機１Ａを運転すれば、送風ファン４からの空気がノズル８の空気吹き出し口から衣類へ送風される。
【００４１】
また、本実施形態に係る布団乾燥機１Ａは、蓋３と回動部９４とを分離する分離機構を備えている。当該分離機構は、回動部９４に設けられた連結部１１（第１の連結部）と、蓋３に設けられた連結部１２（第２の連結部）と、を備えている。連結部１２は、連結部１１と着脱可能に連結するように構成されている。連結部１１は、凹部１１ａと挿入凹部１１ｂとを有している。また、連結部１２は、挿入凸部１２ａと凹部１２ｂとを有している。連結部１２は、連結部１１に対して蓋３が延在する方向（図１２に示す矢印の方向）にスライドするように構成されている。
【００４２】
より具体的には、連結部１１において、凹部１１ａは、挿入凸部１２ａが挿入されるように形成されており、挿入凸部１２ａが摺動する壁部を有する。また、挿入凹部１１ｂは、凹部１１ａに挿入されるように構成されている。また、連結部１２において、挿入凸部１２ａは、凹部１２ｂを構成する壁の一部であり、蓋３が延在する方向に伸びている。また、凹部１２ｂは、蓋３が延在する方向に窪んでいる。
【００４３】
このような構成により、連結部１２は、連結部１１に対して蓋３が延在する方向にスライドする。使用者は、蓋３が筐体２に対して傾斜して位置固定された状態であっても、蓋３を回動部９４に対してスライドさせるだけで、蓋３を筐体２から分離することができる。このため、布団乾燥機１Ａの利便性が向上する。
【００４４】
なお、布団乾燥機１Ａは、円弧状通路９４ａ内に、凸部９５に当接する当接部９４ｃが１つ設けられた構成であった。しかし、当接部９４ｃは、円弧状通路９４ａ内に複数設けられていてもよい。この場合、蓋３を筐体２に対して複数の角度で傾斜して位置固定することができ、多段階の角度調節が可能となる。
【００４５】
〔実施形態３〕
本発明のさらに他の実施形態について、図１３〜図１８に基づいて説明すれば、以下の通りである。なお、説明の便宜上、上記実施形態１にて説明した部材と同じ機能を有する部材については、同じ符号を付記し、その説明を繰り返さない。
【００４６】
図１３は、本実施形態に係る布団乾燥機１Ｂの正面側の斜め上方から見た斜視図である。図１４は、本実施形態に係る布団乾燥機１Ｂの背面側の斜め上方から見た斜視図である。図１５は、本実施形態に係る布団乾燥機１Ｂの蓋３を除いた状態の内部構造を示す縦断面図である。図１６は、本実施形態に係る布団乾燥機１Ｂにおける第１係止構造９８を示す横断面図である。図１７は、本実施形態に係る布団乾燥機１Ｂにおける第２係止構造９９を示す横断面図である。図１８は、本実施形態に係る布団乾燥機１Ｂの蓋３を開いて筐体２に対して固定した状態の内部構造を示す縦断面図である。
【００４７】
図１３〜図１７に示されるように、本実施形態に係る布団乾燥機１Ｂは、傾斜維持機構９Ｂの構造が上記実施形態１および２と異なる。傾斜維持機構９Ｂは、傾斜位置決め部９６と、係止部９７と、第１係止構造９８（係止構造）と、第２係止構造９９（係止構造）とを備えている。
【００４８】
傾斜位置決め部９６は、筐体２の水平面に対して傾斜した状態に蓋３を位置決めする。また、係止部９７は、傾斜位置決め部９６により位置決めされた蓋３を係止する。また、第１係止構造９８および第２係止構造９９は、蓋３が傾斜位置決め部９６により位置決めされた位置で、蓋３の側面で蓋３を筐体２に係止させる。
【００４９】
ここで、傾斜位置決め部９６について詳しく説明する前に、筐体２について説明する。
【００５０】
図１３および図１４に示されるように、筐体２は、側壁２２、２３を有している。側壁２２には、操作部２２ａが設けられている。操作部２２ａには、電源ボタンなどの各種の操作ボタン、各種の情報を表示する表示パネルなどが設けられている。側壁２３は、側壁２２と対向する位置に形成されている。本実施形態では、操作部２２ａが側壁２２に設けられていることから、側壁２２を布団乾燥機１Ｂの正面と規定するとともに、側壁２３を布団乾燥機１Ｂの背面と規定する。
【００５１】
傾斜位置決め部９６は、筐体２の側壁２２および側壁２３の内面に対して突出するように形成されている。傾斜位置決め部９６は、図１４および図１５に示されるように、傾斜板部９６ａおよび支持部９６ｂを有するとともに、図１３に示されるように、傾斜板部９６ｃおよび支持部９６ｄを有している。傾斜板部９６ａおよび支持部９６ｂは、側壁２２の内面に設けられ、傾斜板部９６ｃおよび支持部９６ｄは、側壁２３の内面に設けられている。
【００５２】
傾斜板部９６ａは、蓋３の後端下部３１と当接する当接面を有し、水平面に対して所定の角度θで傾斜している。この当接面は、実施形態１における当接面９１ｃ（図６参照）と同等の機能を有する。支持部９６ｂは、蓋３の後端下部３１より前端側の形状に沿って伸びるように形成されている。この支持部９６ｂは、実施形態１における嵌合部９１ｂよりも蓋３の前端側に長く形成されている。
【００５３】
蓋３の後端下部３１が、蓋３の一方の側部で傾斜板部９６ａの当接面に当接して配置されたとき、支持部９６ｂは、蓋３の後端下部３１より前の部分を支持する。このように、傾斜位置決め部９６が傾斜板部９６ａおよび支持部９６ｂを有することにより、蓋３は、水平面に対して所定の角度θに傾斜した位置に位置決めされる。
【００５４】
傾斜板部９６ｃは、蓋３の後端下部３１と当接する当接面を有し、水平面に対して所定の角度θで傾斜している。この当接面は、実施形態１における当接面９１ｃ（図６参照）と同等の機能を有する。支持部９６ｄは、蓋３の後端下部３１より前端側の形状に沿って伸びるように形成されている。この支持部９６ｄは、実施形態１における嵌合部９１ｂよりも蓋３の前端側に長く形成されている。
【００５５】
蓋３の後端下部３１が、蓋３の他方の側部で傾斜板部９６ｃの当接面に当接して配置されたとき、支持部９６ｄは、蓋３の後端下部３１より前の部分を支持する。このように、傾斜位置決め部９６が傾斜板部９６ｃおよび支持部９６ｄを有することにより、蓋３は、水平面に対して所定の角度θに傾斜した位置に位置決めされる。
【００５６】
係止部９７は、実施形態１における係止部９２（図７参照）と同じく、蓋３の後端上部３２に対して上側から当接するように構成されている。係止部９２は、板状部材の端部で蓋３の後端上部３２に当接するように構成されている。これに対し、係止部９７は、板状部材が折り曲げられた部分で蓋３の後端上部３２に当接することから、係止部９２よりも強度が高められている。
【００５７】
蓋３の下部は、傾斜位置決め部９６により後端下部３１とその付近とが位置決めされ、前端下部は支持されていない。このため、傾斜位置決め部９６により位置決めされた蓋３は、前方へ倒れるおそれがある。係止部９７が蓋３の後端上部３２に対して上側から当接することにより、蓋３は係止され、前方へ倒れるのが防止される。
【００５８】
図１６に示されるように、第１係止構造９８は、凸条部９８ａ（係止凸部）と、突起９８ｂ（係止凸部）とによって構成されている。
【００５９】
図１４に示されるように、凸条部９８ａは、側壁２２の内面に形成された凹部２２ｂの一端側に設けられている。図１４に示されるように、凸条部９８ａは、蓋３が傾斜して配置されるときの水平方向に対する傾斜角度とほぼ直交する方向に傾き、かつ、突起９８ｂにおける凸条部９８ａに当接する面の幅よりも長くなるように形成されている。突起９８ｂは、蓋３における側壁２２側の側面に突出するように形成されている。第１係止構造９８は、突起９８ｂにおける蓋３の前端側の面が凸条部９８ａに当接することで、突起９８ｂを凸条部９８ａに係止させる。
【００６０】
図１７に示されるように、第２係止構造９９は、凸条部９９ａと、突起９９ｂとによって構成されている。
【００６１】
凸条部９９ａは、側壁２３の内面に設けられている。図１３に示されるように、凸条部９９ａは、凸条部９８ａと同じ方向に傾き、かつ、突起９９ｂにおける凸条部９９ａに当接する面の幅よりも長くなるように形成されている。突起９９ｂは、蓋３における側壁２３側の側面に突出するように形成されている。第２係止構造９９は、突起９９ｂにおける蓋３の前端側の面が凸条部９９ａに当接することで、突起９９ｂを凸条部９９ａに係止させる。
【００６２】
なお、第１係止構造９８および第２係止構造９９は、いずれか一方のみが設けられていてもよい。また、突起９８ｂ、９９ｂは、図１６および図１７に示されるように、蓋３の側面に凸形状に形成される構造に限定されない。蓋３は、突起９８ｂ、９９ｂに代えて、例えば、爪を備えていてもよい。この爪は、蓋３の側面に開口する部分に形成された弾性を有する腕部の先端に設けられている。
【００６３】
次に、布団乾燥機１Ｂの衣類乾燥形態について説明する。
【００６４】
布団乾燥機１Ｂを衣類乾燥に使用する衣類乾燥形態では、図１８に示されるように、蓋３の後端下部３１および後端下部３１付近の前端側の部分が傾斜位置決め部９６に支持される。また、係止部９７は、後端上部３２の上側から当接するように、蓋３が筐体２に配置される。さらに、蓋３は、第１係止構造９８および第２係止構造９９により、蓋３の側面で筐体２に係止される。
【００６５】
蓋３は、傾斜位置決め部９６上に支持され、かつ係止部９７に当接するように配置されるとき、蓋３の後端部が傾斜位置決め部９６に沿って、係止部９７側に押し込まれる。このとき、第１係止構造９８の突起９８ｂは、突起９８ｂにおける蓋３の前端側（図１６参照）の面が凸条部９８ａに当接すると、弾性を有する蓋３の側面が内側に撓む。これにより、突起９８ｂは、凸条部９８ａを乗り越えて、図１６に示される位置に移動する。同様に、第２係止構造９９の突起９９ｂは、突起９９ｂにおける蓋３の前端側（図１７参照）の面が凸条部９９ａに当接すると、弾性を有する蓋３の側面が内側に撓む。これにより、突起９９ｂは、凸条部９９ａを乗り越えて、図１７に示される位置に移動する。
【００６６】
このようにして、蓋３は、筐体２の水平面に対して所定の角度θで傾斜して位置固定される。そして、この状態で布団乾燥機１Ｂを運転すれば、送風ファン４からの空気がノズル８の空気吹き出し口から衣類へ送風される。
【００６７】
本実施形態に係る布団乾燥機１Ｂは、傾斜位置決め部９６および係止部９７を備えることにより、実施形態１に係る布団乾燥機１と同様、蓋３が、筐体２の水平面に対して所定の角度θで支持される。その結果、蓋３に支持されるノズル８は、空気の吹き出し口が所定の角度θで傾斜した状態で、筐体２に位置固定される。それゆえ、例えば、ノズル８を常時衣類へ向けて送風することが容易となる。
【００６８】
また、布団乾燥機１Ｂは、第１係止構造９８および第２係止構造９９をさらに備えることにより、蓋３は、蓋３の側面でも筐体２に保持される。したがって、蓋３の傾斜状態を、簡素な構成で、より安定させることができる。
【００６９】
なお、第１係止構造９８および第２係止構造９９は、布団乾燥機１Ｂに設けられるだけでなく、実施形態２に係る布団乾燥機１Ａに設けられていてもよい。
【００７０】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【００７１】
〔まとめ〕
本発明の態様１に係る送風機（布団乾燥機１、１Ａ、１Ｂ）は、筐体２と、前記筐体２から引き出し可能に設けられ、風路を形成するホース７と、前記ホース７の開口端部に接続されるノズル８と、前記ノズル８が前記筐体２の外部に配置されるように、前記ノズル８を筐体２に対して突出可能に支持する支持部材（蓋３）と、水平面に対して傾斜した状態で前記支持部材を保持し、前記ノズル８の傾斜状態を維持する傾斜維持機構９、９Ａ、９Ｂと、を備えている構成である。
【００７２】
上記の構成によれば、傾斜維持機構９、９Ａ、９Ｂにより、前記支持部材は、前記筐体２の水平面に対して所定の角度で支持される。その結果、前記支持部材に支持されるノズル８は、空気の吹き出し口が所定の角度で傾斜した状態で、前記筐体２に位置固定される。それゆえ、容易にノズル８を筐体２に位置固定でき、ノズル８から対象物へ向けて送風することが可能となる。
【００７３】
本発明の態様２に係る送風機（布団乾燥機１、１Ａ、１Ｂ）は、上記態様１において、前記支持部材は、前記筐体２の開口部２１を開閉する蓋３である構成であってもよい。
【００７４】
上記の構成によれば、蓋３が支持部材を兼ねるので、送風機を構成する部材を削減することができる。
【００７５】
本発明の態様３に係る送風機（布団乾燥機１、１Ｂ）は、上記態様２において、前記傾斜維持機構９は、前記水平面に対して傾斜した状態に前記蓋３を位置決めする傾斜位置決め部９１、９６と、前記傾斜位置決め部９１、９６により位置決めされた前記蓋３を係止する係止部９２、９７と、を備えている構成であってもよい。
【００７６】
これにより、前記蓋３は、前記筐体２に対して所定の角度で支持される。
【００７７】
本発明の態様４に係る送風機（布団乾燥機１）は、上記態様３において、前記傾斜位置決め部９１は、前記蓋３と当接する当接面９１ｃを有し前記水平面に対して傾斜した傾斜板部９１ａと、前記傾斜板部９１ａに形成され、前記蓋３と嵌合する嵌合部９１ｂと、を有する構成であることが好ましい。
【００７８】
これにより、より強固に、前記蓋３は、前記筐体２に対して所定の角度で支持される。
【００７９】
本発明の態様５に係る送風機（布団乾燥機１Ｂ）は、上記態様２から４のいずれかにおいて、前記傾斜維持機構９Ｂは、前記蓋３の側面を前記筐体２における側壁２２、２３の内面に係止する係止構造（第１係止構造９８、第２係止構造９９）をさらに備えている構成であってもよい。
【００８０】
これにより、蓋３は、蓋３の側面でも筐体２に保持される。したがって、蓋３の傾斜状態をより安定させることができる。
【００８１】
本発明の態様６に係る送風機（布団乾燥機１Ｂ）は、上記態様５において、前記係止構造は、前記蓋３の側面に設けられた突起９８ｂ、９９ｂと、前記側壁２２、２３の内面に設けられた係止凸部（凸条部９８ａ、９９ｂ）とを有する構成であってもよい。
【００８２】
これにより、簡素な構成で蓋３の傾斜状態をより安定させることができる。
【００８３】
本発明の態様７に係る送風機（布団乾燥機１Ａ）は、上記態様２において、前記傾斜維持機構９Ａは、前記蓋３が連結され、前記筐体２に対して回動する回動部９４と、前記回動部９４に設けられ、当該回動部９４が回動する円弧状軌跡に沿って形成された円弧状通路９４ａと、前記筐体２における前記円弧状通路９４ａと対向する位置に固定された凸部９５と、を備え、前記凸部９５は、前記回動部９４の回動により、前記円弧状通路９４ａ内を移動するように構成されており、前記円弧状通路９４ａには、前記凸部９５に当接し、前記回動部９４の回動を係止する当接部９４ｃが設けられている構成であってもよい。
【００８４】
上記の構成によれば、蓋３を回動させることにより、回動部９４に連結した蓋３は、筐体２の水平方向に対して所定の角度で傾斜した状態で、筐体２に位置固定される。それゆえ、容易にノズル８を筐体２に位置固定でき、ノズル８から対象物へ向けて送風することが可能となる。
【００８５】
本発明の態様８に係る送風機（布団乾燥機１Ａ）は、上記態様７において、前記蓋３と前記回動部９４とを分離する分離機構を備え、前記分離機構は、前記回動部９４に設けられた第１の連結部（連結部１１）と、前記蓋３に設けられ、前記第１の連結部と着脱可能に連結する第２の連結部（連結部１２）と、を備え、前記第２の連結部は、前記第１の連結部に対して、前記蓋３が延在する方向にスライドする構成であることが好ましい。
【００８６】
上記の構成によれば、使用者は、蓋３が筐体２に対して傾斜して位置固定された状態であっても、蓋３を回動部９４に対してスライドさせるだけで、蓋３を筐体２から分離することができる。このため、布団乾燥機１Ａの利便性が向上する。
【００８７】
本発明の態様９に係る送風機（布団乾燥機１、１Ａ、１Ｂ）は、上記態様２〜８の何れかにおいて、前記ノズル８は、前記蓋３に着脱可能に保持される構成であることが好ましい。
【００８８】
これにより、使用者は、複数種類のノズル８を蓋３に装着し、ホース７に接続することができる。このため、送風機の使用範囲が広がる。
【符号の説明】
【００８９】
１、１Ａ、１Ｂ    布団乾燥機（送風機）
２        筐体
７        ホース
８        ノズル
９、９Ａ、９Ｂ    傾斜維持機構
１１        連結部（第１の連結部）
１２        連結部（第２の連結部）
２１        開口部
９１ａ、９６ａ      傾斜板部
９１ｂ      嵌合部
９１ｃ      当接面
９２、９７        係止部
９４        回動部
９４ａ      円弧状通路
９４ｃ      当接部
９５        凸部
９８        第１係止構造（係止構造）
９９        第２係止構造（係止構造）
９８ａ、９９ａ      凸条部（係止凸部）
９８ｂ、９９ｂ      突起
【図１】
2020203064.tif 000003
【図２】
2020203064.tif 000004
【図３】
2020203064.tif 000005
【図４】
2020203064.tif 000006
【図５】
2020203064.tif 000007
【図６】
2020203064.tif 000008
【図７】
2020203064.tif 000009
【図８】
2020203064.tif 000010
【図９】
2020203064.tif 000011
【図１０】
2020203064.tif 000012
【図１１】
2020203064.tif 000013
【図１２】
2020203064.tif 000014
【図１３】
2020203064.tif 000015
【図１４】
2020203064.tif 000016
【図１５】
2020203064.tif 000017
【図１６】
2020203064.tif 000018
【図１７】
2020203064.tif 000019
【図１８】
2020203064.tif 000020